(57)【特許請求の範囲】
【請求項１】
遊技球の入賞口への入球を規制する閉位置とその規制を解除する開位置との間を往復可能な開閉部材と、
前記開閉部材に連動して回動可能な回動レバーと、
駆動源からの動力を受けて始端位置から終端位置へと移動し、その過程で前記回動レバーに前記動力を付与して前記回動レバーを回動させることで前記開閉部材を前記閉位置から前記開位置に移動させる移動部材と、
前記移動部材に前記動力が付与されていないときは、待受位置に配置されると共に前記回動レバーの回動範囲内に位置して前記回動レバーの回動を規制する一方、前記移動部材に前記動力が付与されたときは、前記待受位置から退避位置に移動することで前記回動レバーの回動範囲から退避可能な回動規制部と、
前記回動レバーに設けられて、前記待受位置の前記回動規制部と当接可能な回動当接部とを備え、
前記閉位置の前記開閉部材に対する不正開放操作により前記回動レバーを回動させる場合には、前記回動当接部が前記回動規制部と干渉して前記開閉部材の不正開放を規制する遊技機において、
前記移動部材に設けられて、前記回動レバーの回動軸と平行に突出した連動突部と、
前記回動レバーに設けられて、前記連動突部より前記終端位置側に配置されると共に前記移動部材が前記始端位置から前記終端位置へ移動したときに或いは移動する際に前記連動突部と当接可能な連動当接部とを備え、
前記移動部材が前記始端位置に位置するときに、前記連動突部及び前記連動当接部が間隔を空けて配置される一方で前記回動規制部が前記回動当接部に近接するように構成されるか、或いは、前記回動規制部及び前記回動当接部が間隔を空けて配置される一方で前記連動突部が前記連動当接部に近接するように構成され、
前記回動規制部は、前記移動部材が前記始端位置から前記終端位置へと移動した際に、前記回動当接部の回動範囲から退避するように構成され、
前記待受位置での前記回動規制部及び前記回動当接部は、前記閉位置の前記開閉部材に対する前記不正開放操作が行われたときに互いに干渉し、その不正開放操作により前記回動当接部から前記回動規制部に付与される不正加圧力が、前記回動規制部の退避方向に対して傾斜しかつ前記退避位置側を向くように配置されると共に、前記不正加圧力が小さいときには、その不正加圧力のうち前記回動規制部の退避方向の成分である直動分力が、前記回動当接部と前記回動規制部が摺動しないように前記直動分力とは反対方向に働く少なくとも摩擦力を含む抵抗力より小さくなるように構成され、
前記不正加圧力の前記直動分力が前記抵抗力よりも大きくなったときには、前記不正加圧力の前記直動分力により前記回動規制部が前記回動当接部の回動範囲から退避する位置まで移動して前記回動当接部との干渉が解消され、前記回動レバーが回動することで前記開閉部材を前記閉位置から前記開位置に移動させるように構成されたことを特徴とする遊技機。
【請求項２】
前記回動レバーは、
回動軸から前記連動突部に向かって張り出したレバー突片と、
前記レバー突片に設けられて、前記連動突部を受容可能な連動凹部と、
前記レバー突片の終端位置側を向いた側面で開口し、前記回動規制部を受容可能な回動規制凹部とを備え、
前記連動凹部の内側面のうち前記始端位置側を向いた面を前記連動当接部とし、
前記回動規制凹部の開口縁のうち前記回動規制部と当接可能な部分を前記回動当接部としたことを特徴とする請求項１に記載の遊技機。
【請求項３】
前記移動部材は、前記回動レバーの回動軸と直交する方向に直動すると共に、前記回動レバーの回動軸と平行に突出した回動規制突部を有し、
前記回動規制突部は、前記移動部材の直動方向と平行な前記回動規制部としての当接平坦面を有することを特徴とする請求項１又は２の請求項に記載の遊技機。
【請求項４】
前記回動規制突部は、前記当接平坦面より前記始端位置側へ向かうに従って前記回動当接部から離れるように湾曲した円弧面を備えたことを特徴とする請求項３に記載の遊技機。
【請求項５】
前記回動当接部は、前記回動レバーの回動軸と平行な稜線部であることを特徴とする請求項１乃至４のうち何れか１の請求項に記載の遊技機。
【請求項６】
前記不正加圧力の前記直動分力と直交する方向の成分である垂直分力により、前記回動規制部がその退避方向と直交する方向へ移動することを規制する支持壁が設けられたことを特徴とする請求項１乃至５のうち何れか１の請求項に記載の遊技機。
【請求項７】
前記移動部材を前記始端位置から前記終端位置まで移動させる動力を付与する駆動源は、ソレノイドと、前記ソレノイドの内側に直動可能に挿入されたプランジャと、前記プランジャの先端部から側方に張り出した先端フランジと、前記ソレノイドの端面と前記先端フランジとの間で圧縮変形可能な圧縮コイルバネとで構成されると共に、
前記移動部材は、前記プランジャの先端部に側方から装着されて前記先端フランジに前記プランジャの軸方向で係止したプランジャ先端装着部材であって、
前記回動レバーは、前記プランジャ先端装着部材を間に挟んだ対向位置に対をなして設けられると共にそれら１対の回動レバーが一体回動可能に連結され、
前記回動規制部は、前記プランジャ装着部材の両側部に対をなして設けられ、
前記回動当接部は、前記１対の回動レバーのそれぞれに形成されたことを特徴とする請求項１乃至６のうち何れか１の請求項に記載の遊技機。
【発明の詳細な説明】
【技術分野】
【０００１】
本発明は、駆動源からの動力を受けて駆動可能な移動部材の移動を回動レバーの回動に変換して開閉部材を開閉し、閉状態の開閉部材をこじ開けようとする不正開放操作が行われた場合に、開閉部材の開放を規制可能な遊技機に関する。
【背景技術】
【０００２】
従来、この種の遊技機として、不正開放操作が行われた場合に、回動レバーと干渉して回動レバーの回動を規制する回動規制部を備えたものが知られている（例えば、特許文献１）。
【先行技術文献】
【特許文献】
【０００３】
【特許文献１】特開２０１１−８７８６０号公報（［００２２］、図６）
【発明の概要】
【発明が解決しようとする課題】
【０００４】
しかしながら、上述した従来の遊技機では、回動レバーが回動規制されている状態で不正開放操作が行われ続けると、不正開放操作による負荷を受けて、開閉部材や、回動レバー、回動規制部といった開閉部材周辺の部材が損傷するという問題があった。
【０００５】
本発明は、上記事情に鑑みてなされたもので、開閉部材に対する不正開放操作によって開閉部材やその周辺部材が損傷することを抑制可能な遊技機の提供を目的とする。
【課題を解決するための手段】
【０００６】
上記目的を達成するためになされた請求項１の発明に係る遊技機は、遊技球の入賞口への入球を規制する閉位置とその規制を解除する開位置との間を往復可能な開閉部材と、開閉部材に連動して回動可能な回動レバーと、駆動源からの動力を受けて始端位置から終端位置へと移動し、その過程で回動レバーに動力を付与して回動レバーを回動させることで開閉部材を閉位置から開位置に移動させる移動部材と、移動部材に動力が付与されていないときは、待受位置に配置されると共に回動レバーの回動範囲内に位置して回動レバーの回動を規制する一方、移動部材に動力が付与されたときは、待受位置から退避位置に移動することで回動レバーの回動範囲から退避可能な回動規制部と、回動レバーに設けられて、待受位置の回動規制部と当接可能な回動当接部とを備え、閉位置の開閉部材に対する不正開放操作により回動レバーを回動させる場合には、回動当接部が回動規制部と干渉して開閉部材の不正開放を規制する遊技機において、移動部材に設けられて、回動レバーの回動軸と平行に突出した連動突部と、回動レバーに設けられて、連動突部より終端位置側に配置されると共に移動部材が始端位置から終端位置へ移動したときに或いは移動する際に連動突部と当接可能な連動当接部とを備え、移動部材が始端位置に位置するときに、連動突部及び連動当接部が間隔を空けて配置される一方で回動規制部が回動当接部に近接するように構成されるか、或いは、回動規制部及び回動当接部が間隔をあけて配置される一方で連動突部が連動当接部に近接するように構成され、回動規制部は、移動部材が始端位置から終端位置へと移動した際に、回動当接部の回動範囲から退避するように構成され、待受位置での回動規制部及び回動当接部は、閉位置の開閉部材に対する不正開放操作が行われたときに互いに干渉し、その不正開放操作により回動当接部から回動規制部に付与される不正加圧力が、回動規制部の退避方向に対して傾斜しかつ退避位置側を向くように配置されると共に、不正加圧力が小さいときには、その不正加圧力のうち回動規制部の退避方向の成分である直動分力が、回動当接部と回動規制部が摺動しないように直動分力とは反対方向に働く少なくとも摩擦力を含む抵抗力より小さくなるように構成され、不正加圧力の直動分力が抵抗力よりも大きくなったときには、不正加圧力の直動分力により回動規制部が回動当接部の回動範囲から退避する位置まで移動して回動当接部との干渉が解消され、回動レバーが回動することで開閉部材を閉位置から開位置に移動させるように構成されたところに特徴を有する。
【０００９】
請求項２の発明は、請求項１に記載の遊技機において、回動レバーは、回動軸から連動突部に向かって張り出したレバー突片と、レバー突片に設けられて、連動突部を受容可能な連動凹部と、レバー突片の終端位置側を向いた側面で開口し、回動規制部を受容可能な回動規制凹部とを備え、連動凹部の内側面のうち始端位置側を向いた面を連動当接部とし、回動規制凹部の開口縁のうち回動規制部と当接可能な部分を回動当接部としたところに特徴を有する。
【００１０】
請求項３の発明は、請求項１又は２に記載の遊技機において、移動部材は、回動レバーの回動軸と直交する方向に直動すると共に、回動レバーの回動軸と平行に突出した回動規制突部を有し、回動規制突部は、移動部材の直動方向と平行な回動規制部としての当接平坦面を有するところに特徴を有する。
【００１１】
請求項４の発明は、請求項３に記載の遊技機において、回動規制突部は、当接平坦面より始端位置側へ向かうに従って回動当接部から離れるように湾曲した円弧面を備えたところに特徴を有する。
【００１２】
請求項５の発明は、請求項１乃至４のうち何れか１の請求項に記載の遊技機において、回動当接部は、回動レバーの回動軸と平行な稜線部であるところに特徴を有する。
【００１３】
請求項６の発明は、請求項１乃至５のうち何れか１の請求項に記載の遊技機において、不正加圧力の直動分力と直交する方向の成分である垂直分力により、回動規制部がその退避方向と直交する方向へ移動することを規制する支持壁が設けられたところに特徴を有する。
【００１４】
請求項７の発明は、請求項１乃至６のうち何れか１の請求項に記載の遊技機において、移動部材を始端位置から終端位置まで移動させる動力を付与する駆動源は、ソレノイドと、ソレノイドの内側に直動可能に挿入されたプランジャと、プランジャの先端部から側方に張り出した先端フランジと、ソレノイドの端面と先端フランジとの間で圧縮変形可能な圧縮コイルバネとで構成されると共に、移動部材は、プランジャの先端部に側方から装着されて先端フランジにプランジャの軸方向で係止したプランジャ先端装着部材であって、回動レバーは、プランジャ先端装着部材を間に挟んだ対向位置に対をなして設けられると共にそれら１対の回動レバーが一体回動可能に連結され、回動規制部は、プランジャ装着部材の両側部に対をなして設けられ、回動当接部は、１対の回動レバーのそれぞれに形成されたところに特徴を有する。
【発明の効果】
【００１５】
［請求項１の発明］
請求項１の発明では、開閉部材を閉位置から開位置に移動するには、通常は、駆動源によって移動部材を始端位置から終端位置へ移動させることで、回動レバーを回動させる。このとき、回動規制部が、回動レバーの回動当接部の回動範囲から退避して回動レバーの回動が許容され、開閉部材が閉位置から開位置へ移動する。これに対し、開閉部材に対する不正開放操作により回動レバーが開閉部材から力を受けると、回動当接部が回動規制部と干渉することで回動レバーの回動が規制され、開閉部材の閉位置から開位置への移動が規制される。このとき、回動規制部は、回動当接部から回動規制部の退避方向に対して傾斜しかつ退避位置側を向いた不正加圧力を受ける。ここで、不正加圧力が小さいときには、不正加圧力のうち回動規制部の退避方向の成分である直動分力が抵抗力より小さくなっていて、直動分力が抵抗力より大きくなったときには、回動規制部が退避位置側へ移動する。そして、回動規制部が回動当接部の回動範囲から退避したときに、回動レバーの回動規制が解除される。このように、本発明の遊技機では、回動レバーの回動が規制された状態で不正開放操作による負荷が所定以上の大きさとなったときに、回動レバーの回動規制が解除されて不正開放操作による負荷が解放されるので、不正開放操作による開閉部材やその周辺部材の損傷を抑えることができる。
【００１６】
また、本発明では、駆動源からの動力を受けて移動部材が始端位置から終端位置へ移動したときに、移動部材の連動突部が回動レバーの連動当接部に当接して回動レバーを回動させることができる。さらに、移動部材が始端位置のときに、連動突部及び連動当接部、或いは、回動規制部及び回動当接部が間隔を空けて配置されるので、連動突部と連動当接部との当接によって回転駆動された回動レバーの回動当接部が、待受位置にある回動規制部に到達する前に、回動規制部が退避位置側へ移動して回動当接部との干渉を避けることが可能になる。
【００１７】
なお、移動部材が始端位置のときに、回動規制部が回動当接部と近接するように構成すれば、不正開放操作が行われたときに、回動レバーは、ほとんど回動することなく回動規制部によって回動規制される。これにより、開閉部材をほぼ閉位置に保持した状態で不正開放を規制することが可能になる。
【００１８】
［請求項２の発明］
請求項２の発明では、回動レバーのレバー突片の連動凹部と回動規制凹部に移動部材の連動突部と回動規制部を受容したので、移動部材及び回動レバーのコンパクト化を図ることができる。
【００１９】
［請求項３の発明］
請求項３の発明では、回動規制部としての当接平坦面は、移動部材と一体に移動する。そして、移動部材は、回動レバーの回動軸と直交する方向に直動可能であって、当接平坦面は、その直動方向と平行になっているので、当接平坦面が回動当接部と干渉してから回動当接部の回動範囲から退避するまでの間、回動レバーの回動位置は変化しない。これにより、不正開放操作が行われた初期段階では、開閉部材の位置を変化させずに不正開放を規制することが可能になる。
【００２０】
［請求項４の発明］
請求項４の発明によれば、回動当接部が当接平坦面の始端位置側の端部に到達したときに回動レバーをスムーズに回動させることが可能になる。
【００２１】
［請求項５の発明］
請求項５の発明の構成によれば、不正加圧力を回動レバーの回動軸方向に分散させることができるので、耐久性の向上が図られる。
【００２２】
［請求項６の発明］
請求項６の発明によれば、回動規制部が回動当接部から不正加圧力を受けたときに、回動規制部がその退避方向と直交する方向にずれて回動規制部が回動レバーの回動範囲から外れることが抑えられる。
【００２３】
［請求項７の発明］
請求項７の発明によれば、プランジャの直動が回動レバーの回動に変換される。また、回動規制部及び回動当接部が２組設けられているので不正開放操作による負荷が分散されて耐久性が向上する。
【図面の簡単な説明】
【００２４】
【図１】本発明の第１実施形態に係る遊技機の正面図
【図２】遊技板の正面図
【図３】始動入賞ユニットの前方斜視図
【図４】可動翼片が閉位置のときの始動入賞ユニット主要部の前方斜視図
【図５】可動翼片が開位置のときの始動入賞ユニット主要部の後方斜視図
【図６】可動翼片が閉位置のときの始動入賞ユニット主要部の側面図
【図７】可動翼片が開位置のときの始動入賞ユニット主要部の前方斜視図
【図８】可動翼片が開位置のときの始動入賞ユニット主要部の側面図
【図９】始動入賞ユニット主要部の構成部品の前方斜視図
【図１０】（Ａ）フランジ先端装着部材の前方斜視図、（Ｂ）フランジ先端装着部材の後方斜視図
【図１１】フランジ先端装着部材が始端位置のときの連動突部及び回動規制突部の側面図
【図１２】不正開放操作が行われたとき稜線部及び回動規制突部の側断面図
【図１３】ソレノイドが励磁されたときの連動突部及び回動規制突部の側面図
【図１４】フランジ先端装着部材が終端位置のときの連動突部及び回動規制突部の側面図
【図１５】第２実施形態に係る連動突部及び回動規制突部の側面図
【図１６】不正開放操作が行われたときの連動突部及び回動規制突部の側面図
【図１７】ソレノイドが励磁されたときの連動突部及び回動規制突部の側面図
【図１８】変形例に係る稜線部及び回動規制突部の側断面図
【発明を実施するための形態】
【００２５】
［第１実施形態］
以下、本発明の第１実施形態を、図１〜図１４に基づいて説明する。本実施形態に係る遊技機１０は、図１に示されており、遊技機１０の遊技板１１の前面には、ガイドレール１２で囲まれたほぼ円形の遊技領域Ｒ１が形成されている。
【００２６】
遊技板１１の前面は、遊技機１０の前面に開閉可能に取り付けられた前面枠１０Ｚにて覆われ、その前面枠１０Ｚに形成されたガラス窓１０Ｗを通して遊技領域Ｒ１の全体が視認可能となっている。ガラス窓１０Ｗの周囲には、装飾ランプ３５が設けられ、ガラス窓１０Ｗの上方の両側には、スピーカ２５，２５が備えられている。また、ガラス窓１０Ｗより下方には、上皿２６及び下皿２７が上下２段にして設けられ、下皿２７の右端部には操作ノブ２８が設けられている。そして、操作ノブ２８を回動操作すると、上皿２６に収容された遊技球が遊技領域Ｒ１に向けて弾き出される。
【００２７】
図２に示すように、遊技板１１のうち遊技領域Ｒ１の中央には、異形の遊技板表示窓１１Ｈが貫通形成されており、その遊技板表示窓１１Ｈに遊技板１１の裏面側から液晶表示装置３０が対向している。液晶表示装置３０は、液晶モジュール（例えば、ＴＦＴ−ＬＣＤモジュール）で構成され、その表示画面３０Ｇが、遊技板１１の奥側に配置されている
【００２８】
表示画面３０Ｇには、通常、３つの左、中、右の特別図柄３２Ａ，３２Ｂ，３２Ｃが横並びに表示されている。これら各特別図柄３２Ａ，３２Ｂ，３２Ｃは、例えば、「０」〜「１１」の数字を表記した複数種類のもので構成されており、通常は、各特別図柄３２Ａ，３２Ｂ，３２Ｃごと、所定の種類のものが停止表示されている。そして、後述する第１始動入賞口１４Ａ又は第２始動入賞口１４Ｂに遊技球が入球（入賞）すると、遊技の当否判定が行われ、これら３つの特別図柄３２Ａ，３２Ｂ，３２Ｃが、上下方向にスクロール表示され、所定時間後に、例えば、左、右、中の順で各特別図柄３２Ａ，３２Ｂ，３２Ｃが停止表示される。なお、遊技の当否判定の結果が「大当たり」であれば、例えば、全ての特別図柄３２Ａ，３２Ｂ，３２Ｃが同じ図柄、即ち、ぞろ目になる。
【００２９】
遊技板１１の前面中央には、表示画面３０Ｇを囲むように表示装飾枠２３が取り付けられている。表示装飾枠２３は、遊技板１１の前面側から遊技板表示窓１１Ｈに嵌め込まれ、遊技板表示窓１１Ｈの内側に張り出すと共に、遊技板１１の前面から突出している。そして、遊技領域Ｒ１を流下する遊技球が、表示装飾枠２３の外側を通過して表示装飾枠２３の内側に進入しないように構成されている。
【００３０】
遊技領域Ｒ１のうち表示装飾枠２３の下方における左右方向の中央部には、第１始動入賞口１４Ａ，第２始動入賞口１４Ｂ及びアウト口１６が、上から順に間隔を開けて並べて設けられている。第２始動入賞口１４Ｂの左側には、ガイドレール１２に沿って一般入賞口２０が複数設けられている。また、表示装飾枠２３の左側には風車１９が設けられている。表示装飾枠２３の右側下方には、始動ゲート１８及び大入賞口１５が、上から順に並べて設けられている。大入賞口１５の右側には、サイド入賞口２１が設けられている。また、図示しないが、遊技領域Ｒ１には多数の障害釘が植設されている。
【００３１】
一般入賞口２０及びサイド入賞口２１は、所謂、ポケット構造をなして、遊技板１１の前面から突出した部材上面に開放しており、遊技球が丁度１つ入球可能な大きさで上方に開口している。そして、一般入賞口２０又はサイド入賞口２１に入った遊技球は、遊技板１１に設けた図示しない貫通孔を通って、遊技板１１の裏側に回収される。また、これら各入賞口２０，２１の内部には、図示しない球検出センサが備えられ、それら各球検出センサが遊技球を１球検出する度に、例えば４個の遊技球が賞球として上皿２６に払い出される。
【００３２】
大入賞口１５は、横長矩形に形成されて、常には、可動扉１５Ｔにて閉塞されている。遊技機１０が「大当たり状態」になると、可動扉１５Ｔが所定期間に亘って前側に倒れる。これにより、大入賞口１５が開放され、可動扉１５Ｔを案内にして、大入賞口１５に遊技球が入賞可能となる。そして、大入賞口１５に遊技球が入賞すると、例えば、１個の入賞につき１５個の遊技球が上皿２６に払い出される。
【００３３】
始動ゲート１８は、遊技球が潜って通過可能な門形構造をなし、遊技球が始動ゲート１８を通過すると当否判定が行われる。その当否判定の結果は、液晶表示装置３０の表示画面３０Ｇ或いは、液晶表示装置３０とは別の表示装置（図示せず）にて表示される。具体的には、当否判定結果が当たり（以下、「小当たり」という）の場合は「○」が表示され、外れの場合は「×」が表示される。
【００３４】
第１始動入賞口１４Ａ及び第２始動入賞口１４Ｂは上下に並べられ、下側に配置された第２始動入賞口１４Ｂの左右両側には可動翼片１４Ｃ，１４Ｃが備えられている。図３には、それら第１始動入賞口１４Ａ、第２始動入賞口１４Ｂ及び可動翼片１４Ｃ，１４Ｃが組み付けられた始動入賞ユニット４０が示されている。以下、始動入賞ユニット４０について詳説する。
【００３５】
始動入賞ユニット４０は、ベース部材４１に複数の可動部品を組み付けたユニット構造になっている。図３に示すように、ベース部材４１は、前後方向に扁平な遊技板取付部４２と、遊技板取付部４２の後面に取り付けられたボックス部４３とを備え、遊技板取付部４２の前面に第１始動入賞口１４Ａ、第２始動入賞口１４Ｂ及び可動翼片１４Ｃ，１４Ｃが組み付けられている。遊技板取付部４２は、前後方向の中間位置に段差部４２Ｄを有し、段差部４２Ｄより後側部分が前側部分より側方に拡がっている。そして、遊技板１１（図１参照）に形成された役物装着孔（図示せず）に対し、遊技板１１の後面側から始動入賞ユニット４０が挿入されて、段差部４２Ｄより後側部分の前面が役物装着孔の開口縁部に当接し、段差部４２Ｄより前側部分の前面が遊技板１１の前面と略面一になった状態で固定されている。これにより、上述の如く遊技領域Ｒ１内に第１始動入賞口１４Ａ、第２始動入賞口１４Ｂが配置されている。
【００３６】
第１始動入賞口１４Ａは、上述した一般入賞口２０、サイド入賞口２１と同様のポケット構造をなし、上方から遊技球を受け入れて後方へ排出するようになっている。第１始動入賞口１４Ａから排出された遊技球は、ベース部材４１の内部を通ってベース部材４１の下面に形成された球排出口（図示せず）から排出される。また、遊技板取付部４２の内部には、遊技球を検出するための球検出センサ（図示せず）が備えられ、この球検出センサによる検出に基づいて遊技の当否判定が行われる。
【００３７】
第１始動入賞口１４Ａの下方には、遊技板取付部４２の前面と平行なフロントカバー４４が備えられ、そのフロントカバー４４と遊技板取付部４２の前面との間に可動翼片１４Ｃ，１４Ｃが回動可能に軸支されている。そして、遊技板取付部４２の前面のうち可動翼片１４Ｃ，１４Ｃに挟まれた部分で、第２始動入賞口１４Ｂが開口している。
【００３８】
可動翼片１４Ｃ，１４Ｃは、下端部を中心にして回動可能であって、起立した閉位置（図４の可動翼片１４Ｃの位置）と横倒しになった閉位置（図７の可動翼片１４Ｃの位置）との間を往復可能になっている。なお、右側の可動翼片１４Ｃと左側の可動翼片１４Ｃとは、左右対称に回動するようになっている。なお、図４〜図８には、可動翼片１４Ｃの回動軸Ｊ１が一点鎖線で示されている。
【００３９】
可動翼片１４Ｃ，１４Ｃ、通常は、閉位置に配置されて、遊技領域Ｒ１（図１参照）を流下する遊技球が第２始動入賞口１４Ｂへ入球することを規制する。一方、遊技球が始動ゲート１８を通過して「小当たり」となると、可動翼片１４Ｃ，１４Ｃは、開位置へ移動し、所定期間（例えば、０．４秒）だけ開放状態となる。すると、遊技球が、横倒しになった可動翼片１４Ｃ，１４Ｃを案内にして第２始動入賞口１４Ｂに入球可能となる。第２始動入賞口１４Ｂに入球した遊技球は、第１始動入賞口１４Ａに入球した遊技球と同様に、ベース部材４１の内部を通過する過程で、球検出センサにて検出され、球排出口から排出される。なお、第２始動入賞口１４Ｂが本発明の「入賞口」に相当し、可動翼片１４Ｃが本発明の「開閉部材」に相当する。
【００４０】
図４に示すように、可動翼片１４Ｃ，１４Ｃの後方には、１対の回動レバー６０，６０が備えられている。各回動レバー６０は、可動翼片１４Ｃの回動軸Ｊ１と直交する軸部６１から前方へ向かって延びた第１レバー突片６２Ａと、軸部６１から上方へ向かって延びた第２レバー突片６２Ｂと、軸部６１から第１レバー突片６２Ａと反対方向に延びた第３レバー突片６２Ｃとを備えている。なお、各レバー突片は、長い方から順に、第１レバー突片６２Ａ、第２レバー突片６２Ｂ、第３レバー突片６２Ｃとなっている。
【００４１】
図６に示すように、第２レバー突片６２Ｂの先端部には、可動翼片１４Ｃが閉位置にある状態で、前後方向に対峙した前側連動突出片６７と後側連動突出片６８とが設けられ、前側連動突出片６７と後側連動突出片６８とで囲まれた部分に、本発明に係る連動凹部６６が形成されている。
【００４２】
なお、詳細には、前側連動突出片６７は、可動翼片１４Ｃが閉位置にある状態で、上下方向と平行に延び、前面が回動レバー６０の回動軸Ｊ２とほぼ同じ前後位置に配置されている。また、後側連動突出片６８は、上下方向の中間部が後方に屈曲している。
【００４３】
１対の第２レバー突片６２Ｂ，６２Ｂの前側連動突出片６７，６７同士は、連結部６５Ｂによって連結されている。また、図５に示すように、第３レバー突片６２Ｃ，６２Ｃの先端部同士は、連結部６５Ｃによって連結されている。これらにより、１対の回動レバー６０，６０は、軸部６１の中心軸回りに一体回動可能になっている。なお、軸部６１の中心軸が本発明の回動軸Ｊ２に相当する。
【００４４】
図６に示すように、第１レバー突片６２Ａの前端部には、可動翼片１４Ｃの回動軸Ｊ１と回動レバー６０の回動軸Ｊ２の両方に直交する方向で対向するように分岐した分岐部６３が形成されている。また、可動翼片１４Ｃの後端面には、回動軸Ｊ１と平行な連結突起６４が形成され、分岐部６３の間に挟まれている。そして、図６から図８の変化に示すように、回動レバー６０が回動軸Ｊ２を中心にして図６における時計回りに回動すると、その回動に連動して可動翼片１４Ｃが閉位置（図４に示す状態）から開位置（図７に示す状態）へ移動する。
【００４５】
図３に示すように、ベース部材４１のボックス部４３の後端部には、回動レバー６０及び可動翼片１４Ｃを駆動するための駆動源５０が組み付けられている。図９に示すように、駆動源５０は、ソレノイド５１の内側にプランジャ５２を挿入して備えている。ソレノイド５１は、円筒状をなして前後方向に延び、前後左右が外周壁５１Ａにて囲まれている。そして、外周壁５１Ａの前端壁に形成された図示しない貫通孔を通して、プランジャ５２がソレノイド５１内に挿入されている。
【００４６】
プランジャ５２は断面円形の棒状をなし、プランジャ５２の先端からは側方に円板状のフランジ５２Ｆが張り出している。また、図６及び図８に示すように、プランジャ５２の外側には圧縮コイルバネ５３が挿通され、その圧縮コイルバネ５３がフランジ５２Ｆと外周壁５１Ａの前端壁との間で挟まれている。そして、ソレノイド５１を励磁すると、図８に示すように、プランジャ５２がソレノイド５１内に引き込まれると共に圧縮コイルバネ５３が圧縮変形し、そのソレノイド５１の励磁を停止すると、図６に示すように、圧縮コイルバネ５３の弾発力によってプランジャ５２が前方に移動する。即ち、プランジャ５２は、回動レバー６０の回動軸Ｊ２と直交する方向に直動する。なお、図４，５，７，９では圧縮コイルバネ５３が省略して示されている。
【００４７】
プランジャ５２の先端部には、プランジャ先端装着部材５４（本発明の「移動部材」に相当する）が装着されている。詳細には、プランジャ先端装着部材５４は、プランジャ５２の先端部にその軸方向と直交する方向（側方）から装着されている。
【００４８】
図１０（Ａ）及び図１０（Ｂ）に示すように、プランジャ先端装着部材５４は、フランジ５２Ｆと平行な前端壁５４Ａと、前端壁５４Ａの両側端から後方に延びた側壁５４Ｂ，５４Ｂと、前端壁５４Ａ及び側壁５４Ｂ，５４Ｂの下端部を連絡してプランジャ５２の直動方向と平行な底壁５４Ｃとを備え、それら前端壁５４Ａ、側壁５４Ｂ，５４Ｂ、底壁５４Ｃにて、フランジ５２Ｆの下側半分を覆っている（図８参照）。  
【００４９】
側壁５４Ｂ，５４Ｂのうち互いに対向する面には、前端壁と対向した係止壁５５，５５が突出形成され、それら係止壁５５，５５の上端部が円弧状に切り取られることで、プランジャ受容凹部５５Ａが形成されている。そして、フランジ５２Ｆの下方からプランジャ先端装着部材５４を組み付けることで、プランジャ５２がプランジャ受容凹部５５Ａに受容されると共に、係止壁５５，５５と前端壁５４Ａとの間にフランジ５２Ｆの外縁部が差し込まれて、プランジャ先端装着部材５４がプランジャ５２の軸方向に抜け止めされている。
【００５０】
図１０（Ｂ）に示すように、側壁５４Ｂ，５４Ｂの下端部は、底壁５４Ｃより下方に突出した係止突片５４Ｔ，５４Ｔになっていて、それら係止突片５４Ｔ，５４Ｔが、ベース部材４１に固定された支持壁４５（図９及び図１１参照）を左右方向で挟んでいる。これにより、フランジ先端装着部材５４が下方に抜け止めされると共に、左右方向のがたつきが抑えられる。
【００５１】
図９に示すように、プランジャ先端装着部材５４の側壁５４Ｂ，５４Ｂには、回動レバー６０の回動軸Ｊ２と平行な連動突部５６，５６が突出形成されている。連動突部５６は、プランジャ先端装着部材５４の前端寄り位置に配置され、回動軸Ｊ２と平行な円柱の前端部をプランジャ５２の直動方向と直交する平面で切断した形状をなしている（図１１参照）。また、連動突部５６は、プランジャ先端装着部材５４の上端寄り位置、即ち、プランジャ５２の中心軸とほぼ同じ高さの位置に配置されている。
【００５２】
連動突部５６は、回動レバー６０の第２レバー突片６２Ｂの連動凹部６６内に受容されている。図１１に示すように、連動突部５６は、ソレノイド５１が非励磁の状態で、前側連動突出片６７及び後側連動突出片６８の両方から離間している。そして、ソレノイド５１の励磁によりプランジャ５２が後方へ移動すると、連動突部５６のうち後方を向いた円弧面５６Ａが、後側連動突出片６８のうち前方を向いた面と当接し、図６から図８への変化に示すように、回動レバー６０が回動軸Ｊ２を中心にして図６における時計回りに回動する。これにより、可動翼片１４Ｃが閉位置（図４参照）から開位置（図７参照）へ移動するようになっている。以下では、後側連動突出片６８の前方を向いた面を、連動対向面６６Ｔと呼ぶことにする（図１１、１３、１４参照）。この連動対向面６６Ｔは、本発明の「連動当接部」に相当する。
【００５３】
また、可動翼片１４Ｃが開位置にある状態（図７及び図８に示す状態）で、ソレノイド５１の励磁が停止されると、圧縮コイルバネ５３によりプランジャ５２が前方へ移動し、回動レバー６０がフランジ先端装着部材５４に押されて図８における反時計回りに回動し、可動翼片１４Ｃが閉位置へと戻る。なお、図６に示すフランジ先端装着部材５４の位置が、本発明の「始端位置」に相当し、図８に示すフランジ先端装着部材５４の位置が本発明の「終端位置」に相当する。
【００５４】
ソレノイド５１の励磁は、始動ゲート１８（図１参照）を遊技球が通過し、抽選の結果が「小当たり」となった場合に行われる。即ち、本実施形態の遊技機１０では、第２始動入賞口１４Ｂは、通常、可動翼片１４Ｃ，１４Ｃによって入球が規制され、「小当たり」となった場合に、可動翼片１４Ｃ，１４Ｃが所定期間（例えば、０．４秒間）に亘って開く。そして、可動翼片１４Ｃ，１４Ｃが開くと、第２始動入賞口１４Ｂに通常時より多くの遊技球が入球し、より多くの大当たり遊技の判定が行われることになり、多量の賞球を獲得する確率が高くなる。このため、「小当たり」となっていない状態、即ち、ソレノイド５１が非励磁の状態であるにも拘わらず、針金等を用いて可動翼片１４Ｃ，１４Ｃをこじ開けようとする不正開放操作が行われる場合がある。
【００５５】
ここで、本実施形態の遊技機１０では、不正開放操作が行われた場合に、回動レバー６０の回動を規制することで可動翼片１４Ｃ，１４Ｃの不正な開放を規制する回動規制突部５７がプランジャ先端装着部材５４と一体的に設けられている。具体的には、図１０（Ａ）に示すように、回動規制突部５７は、プランジャ先端装着部材５４の各側壁５４Ｂから外側に向かって突出し、回動レバー６０の回動軸Ｊ２（図４参照）と平行になっている（図１０（Ａ）には、一方の回動規制突部５７のみが示されている）。
【００５６】
回動規制突部５７は、プランジャ先端装着部材５４の後端部の下端寄り位置に配置され、断面形状が略四角形になっている。また、図１２に示すように、回動規制突部５７の上端には、回動レバー６０の回動軸Ｊ２とプランジャ５２の直動方向、即ち、前後方向の両方に平行な当接平坦面５７Ｈ（本発明の「回動規制部」に相当する）が形成されている。詳細には、当接平坦面５７Ｈは、回動規制突部５７の後端から前端寄り位置に亘って形成されている。また、回動規制突部５７の前端部上面は、前方に向かうにつれて下方へ向かうように湾曲した円弧面５７Ａになっていて、円弧面５７Ａの後端部が当接平坦面５７Ｈに連続している。
【００５７】
図１１に示すように、回動規制突部５７は、ソレノイド５１が非励磁の状態で、回動レバー６０の回動規制凹部７０に受容されている。回動規制凹部７０は、第２レバー突片６１Ｂのうち後方を向いた側縁部に形成され、後方に向かって開口している。
【００５８】
図１１に示すように、回動規制凹部７０は、ソレノイド５１が非励磁の状態で上下方向に対向した上側凹部構成壁７１と下側凹部構成壁７２との間に形成されている。下側凹部構成壁７２は、水平面と平行な上面を有し、回動規制突部５７から離間している。
【００５９】
図１２に示すように、上側凹部構成壁７１は、後側連動突出片６８の下方に位置し、回動規制凹部７０側を向いた面が水平面に対して後側が若干下方に向かうに傾斜した下方傾斜面７３になっていて、後方を向いた面が鉛直面に対して上側が若干後方に向かうように傾斜した後方傾斜面７４になっている。そして、下方傾斜面７３と後方傾斜面７４との交差線が本発明に係る稜線部７０Ｓ（本発明の「回動当接部」に相当する）になっている。
【００６０】
なお、図１１に示すように、後方傾斜面７４の傾斜は、回動レバー６０の回動軸Ｊ２方向からみたときに、回動軸Ｊ２と稜線部７０とを結ぶ直線よりも急になっていて、稜線部７０Ｓから離れるに従って、その直線に対して図１１における反時計回りに離れるようになっている。
【００６１】
稜線部７０Ｓは、ソレノイド５１が非励磁の状態で、回動規制突部５７に近接配置され、回動規制突部５７の当接平坦面５７Ｈの一部が稜線部７０Ｓの回動範囲内（図１１の一点鎖線より左側）に配置されている。この状態で、可動翼片１４Ｃに対して不正開放操作が行われると、回動レバー６０の稜線部７０Ｓが回動規制突部５７の当接平坦面５７Ｈと干渉して、回動レバー６０の回動が規制される。なお、本実施形態では、稜線部７０Ｓが回動規制突部５７の当接平坦面５７Ｈに当接している例が示されている。
【００６２】
一方、図１１に示す状態から、ソレノイド５１が励磁されると、図１１から図１３の変化に示すように、プランジャ５２と一体にフランジ先端装着部材５４が支持壁４５上を後方に移動し、連動突部５６が連動当接面６６Ｔと当接する。このとき、回動規制突部５７も回動レバー６０の稜線部７０Ｓに摺接しながら、図１１に示す位置から後方に移動し、当接平坦面５７Ｔが回動レバー６０の稜線部７０Ｓの回動範囲よりも後方（図１３の一点鎖線より右側）に配置される。そして、フランジ先端装着部材５４が終端位置へ移動すると、図１３から図１４の変化に示すように、回動レバー６０の稜線部７０Ｓが回動規制突部５７の当接平坦面５７Ｈと干渉することなく、回動レバー６０の後方傾斜面７４が回動規制突部５７の円弧面５７Ａ上を摺動するようにして、回動レバー６０が回動軸Ｊ２を中心に回動する。即ち、駆動源５０から動力が伝達される場合には、回動レバー６０が回動規制されることなく可動翼片１４Ｃ，１４Ｃが閉位置から開位置へと移動する。
【００６３】
さて、図１２に示すように、不正開放操作が行われて回動レバー６０の回動が規制された状態では、回動規制突部５７の当接平坦面５７Ｈは、稜線部７０Ｓから後斜め下方を向いた不正加圧力Ｆを受ける。このとき、回動規制突部５７には、後ろ向きに、不正加圧力Ｆのうちフランジ先端装着部材５４の直動方向、即ち、前後方向の成分である直動分力ｆ１がかかる。また、回動規制突部５７は、不正加圧力Ｆのうち上下方向の成分である垂直分力ｆ２に基づく摩擦力ｆ３を、直動分力ｆ１の向きとは反対方向である前向きに受ける。また、摩擦力ｆ３と同じ前向き方向には、圧縮コイルバネ５３による付勢力がかかっている。この摩擦力ｆ３と圧縮コイルバネ５３の付勢力を合わせた力が、本発明における「抵抗力」に相当する。そして、フランジ先端装着部材５４が始端位置にある状態で、不正加圧力Ｆが小さいときには、摩擦力ｆ３と圧縮コイルバネ５３の付勢力を合わせた力が直動分力ｆ１よりも大きくなるようにしておき、稜線部７０Ｓと回動規制突部５７の当接平坦面５７Ｈが摺動しないように構成されている。
【００６４】
そして、回動レバー６０が回動規制された状態で、不正加圧力Ｆが所定以上の大きさになると、直動分力ｆ１が摩擦力ｆ３と圧縮コイルバネ５３の付勢力を合わせた力よりも大きくなって、直動分力ｆ１によって、フランジ先端装着部材５４が圧縮コイルバネ５３の付勢力に抗して後方に移動し、回動規制突部５７の当接平坦面５７Ｈが稜線部７０Ｓの回動範囲の外側（図１１の一点鎖線の右側）に退避する。すると、回動レバー６０は、回動規制が解除されて回動軸Ｊ２を中心に回動し、可動翼片１４Ｃ，１４Ｃが閉位置から開位置へと移動する。なお、当接平坦面５７Ｈが稜線部７０Ｓの回動領域から退避したときのフランジ先端装着部材５４と回動レバー６０との位置関係は、ソレノイド５１が励磁されたときと同様に、図１３に示した位置関係となる。
【００６５】
また、回動レバー６０が回動規制されている間、回動規制突部５７には、不正加圧力Ｆの垂直分力ｆ２が下向きにかかるが、上述したように、フランジ先端装着部材５４は、ベース部材４１に設けられた支持壁４５（図１１参照）によって下方への移動が規制される。これにより、フランジ先端装着部材５４が下方にずれて回動規制突部５７の当接平坦面５７Ｈが稜線部７０Ｓの回動範囲から外れることが抑えられる。
【００６６】
なお、フランジ先端装着部材５４が始端位置にあるときの回動規制突部５７の当接平坦面５７Ｈの位置が、本発明の「待受位置」に相当し（図６及び図１１参照）、フランジ先端装着部材５４が終端位置にあるときの当接平坦面５７Ｈの位置が、本発明の「退避位置」に相当する（図８及び図１４参照）。
【００６７】
本実施形態のパチンコ遊技機１０の構成に関する説明は以上である。次に、本実施形態のパチンコ遊技機１０の作用効果について説明する。操作ノブ２８（図１参照）を操作して遊技球が遊技領域Ｒ１に打ち込まれ、ランダムに流下した遊技球の一部が第１始動入賞口１４Ａ又は第２始動入賞口１４Ｂに入球すると、大当たり遊技の判定が行われる。そして、その判定結果が大当たりであって、液晶画面３０Ｇにぞろ目が表示されると、開閉扉１５Ｔを回動して大入賞口１５が所定期間に亘って開放され、通常時より、多量の賞球が上皿２６に払い出される。
【００６８】
第２始動入賞口１４Ｂは、通常、可動翼片１４Ｃ，１４Ｃによって入球が規制されている。遊技球が始動ゲート１８を通過し、抽選の結果が「小当たり」となると、ソレノイド５１が励磁されてプランジャ５２が後方へ移動する。すると、フランジ先端装着部材５４が始端位置から終端位置へと直動し、フランジ先端装着部材５４の連動突部５６が回動レバー６０の連動対向面６６Ｔと当接して、回動レバー６０を回動軸Ｊ２回りに回動させる。そして、回動レバー６０に連動して可動翼片１４Ｃ，１４Ｃが閉位置から開位置へと移動し、遊技球が可動翼片１４Ｃ，１４Ｃを案内にして第２始動入賞口１４Ｂに入球可能となる。
【００６９】
一方、ソレノイド５１が励磁されていない状態で、針金等によって可動翼片１４Ｃ，１４Ｃをこじ開けようとする不正開放操作が行われると、回動レバー６０の稜線部７０Ｓが、フランジ先端装着部材５４の回動規制突部５７（詳細には、当接平坦面５７Ｈ）と干渉し、回動レバー６０の回動が規制される。ここで、フランジ先端装着部材５４が始端位置のときに、当接平坦面５７Ｈが稜線部７０Ｓと近接しているので、不正開放操作が行われたときに、回動レバー６０は、ほとんど回動することなく回動規制突部５７によって回動規制される。これにより、可動翼片１４Ｃをほぼ閉位置に保持した状態で不正開放を規制することが可能になる。
【００７０】
ここで、回動レバー６０が回動規制された状態で不正開放操作がさらに行われ続けると、回動規制突部５７の当接平坦面５７Ｈは、回動レバー６０の稜線部７０Ｓから斜め下方を向いた不正加圧力Ｆを受ける（図１２参照）。そして、不正加圧力Ｆの前後方向の成分である直動分力ｆ１によって回動規制突部５７が後方に移動する。ここで、稜線部７０Ｓと当接する当接平坦面５７Ｈがフランジ先端装着部材５４の直動方向（即ち、前後方向）と平行になっているので、回動規制突部５７が終端位置側へ移動して稜線部７０Ｓが当接平坦面５７Ｈの始端位置側の端部に到達するまでの間、回動レバー６０の回動位置は変化しない（図１３参照）。これにより、不正開放操作が行われた初期段階では、可動翼片１４Ｃの位置を変化させずに不正開放を規制することが可能になる。また、当接平坦面５７Ｈは、回動レバー６０の回動軸と平行になっているので、不正加圧力Ｆの回動軸Ｊ２方向におけるばらつきが抑えられ、回動規制突部５７の移動の安定化が図られる。
【００７１】
回動規制突部５７が終端位置側へ移動して、稜線部７０Ｓが当接平坦面５７Ｈの前端に到達すると、当接平坦面５７Ｈが稜線部７０Ｓの回動範囲から外れて当接平坦面５７Ｈと稜線部７０Ｓとの干渉が解消され、回動レバー６０が回動軸Ｊ２を中心に回動する（図１４参照）。ここで、当接平坦面５７Ｈに連続する円弧面５７Ａは、前方に向かうにつれて下方へ向かうように湾曲しているので、回動レバー６０をスムーズに回動させることが可能になる。
【００７２】
このように、本実施形態の遊技機１０では、回動レバー６０の回動が規制された状態で、不正開放操作による負荷が所定以上の大きさとなった場合に、回動レバー６０の回動規制が解除されて不正開放操作による負荷が解放されるので、不正開放操作による可動翼片１４Ｃやその周辺部材の損傷を抑えることができる。しかも、当接平坦面５７Ｈ及び稜線部７０Ｓが２組設けられているので不正開放操作による負荷が分散されて耐久性が向上する。
【００７３】
また、直動分力ｆ２により回動規制突部５７が直動するときの稜線部７０Ｓと当接平坦面５７Ｈの接触面積を一定となるので、回動規制突部５７を安定して直動させることが可能になる。さらに、不正加圧力Ｆを回動レバー６０の回動軸方向に分散させることができるので、耐久性の向上が図られる。
【００７４】
［第２実施形態］
本発明の第２実施形態は、連動突部５６Ｖ及び連動対向面６６Ｔの位置関係、並びに、当接平坦面５７Ｈ及び稜線部７０Ｓの位置関係が第１実施形態と異なっている。具体的には、図１５に示すように、ソレノイド５１が非励磁のときに、連動突部５６Ｖの円弧面５６Ａが後側連動突出片６８の連動対向面６６Ｔと当接し、当接平坦面５７Ｈと稜線部７０Ｓとの間に隙間が設けられている。
【００７５】
ソレノイド５１が励磁されると、図１５から図１７に示すように、フランジ先端装着部材５４Ｖが始端位置から終端位置へと移動し、回動レバー６０が連動突部５６Ｖに押されて回動する。このとき、回動規制突部５７Ｖも終端位置側へ直動するので、回動レバー６０の稜線部７０Ｓが、フランジ先端装着部材５４Ｖが始端位置にあるときの回動規制突部５７Ｖの当接平坦面５７Ｈの位置（図１５に示す当接平坦面５７Ｈの位置）に到達したときに、当接平坦面５７Ｈは、後方へ退避し、稜線部７０Ｓと干渉しない。そして、フランジ先端装着部材５４Ｖが終端位置へ移動すると、回動レバー６０の稜線部７０Ｓが回動規制突部５７の当接平坦面５７Ｈと干渉することなく、回動レバー６０が回動軸Ｊ２を中心に回動する。
【００７６】
一方、不正開放操作が行われた場合には、図１５から図１６の変化に示すように、回動レバー６０は、回動軸Ｊ２を中心に僅かに回動した後、稜線部７０Ｓが当接平坦面５７Ｈと干渉して、回動レバー６０の回動が規制される。そして、さらに不正開放操作が行われると、第１実施形態と同様に、回動規制突部５７Ｖが終端位置側（図１６における右側）へと移動し、稜線部７０Ｓと当接平坦面５７Ｈとの干渉が解消される。本実施形態によれば、第１実施形態と同様の効果を奏することができる。
【００７７】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００７８】
（１）上記実施形態では、不正開放操作が行われたときに、回動規制突部５７の当接平坦面５７と回動レバー６０が線当接する構成であったが、面当接する構成であってもよいし、点当接する構成であってもよい。
【００７９】
（２）上記実施形態では、本発明を、第２始動入賞口１４Ｂへの遊技球の入球を規制する可動翼片１４Ｃを開閉する機構に適用した例を示したが、例えば、大入賞口１５の可動扉１５Ｔを開閉する機構に適用してもよい。
【００８１】
（３）図１８に示した回動レバー６０Ｗのように、上側凹部構成壁７１Ｗが、ソレノイド５１が非励磁のときに水平面と平行になる下面を有し、その下面に突出形成された断面三角形状の突条７５の稜線部７５Ｓが、当接平坦面５７Ｈと干渉する構成であってもよい。
【００８２】
（４）上記実施形態では、稜線部７０Ｓが回動規制突部５７の当接平坦面５７Ｈに当接した位置で、不正加圧力Ｆのうち後方向の成分である直動分力ｆ１の反対方向である前方向の成分である摩擦力ｆ３と圧縮コイルバネ５３の付勢力を合計した力で本発明の「抵抗力」を構成していたが、上側凹部構成壁７１と回動規制突部５７の材料による摩擦係数を調整することで摩擦力ｆ３のみで本発明の「抵抗力」を構成してもよい。
【００８３】
（５）上記実施形態では、本発明の「待受位置」を、フランジ先端装着部材５４Ｖが始端位置のときの当接平坦面５７Ｈの位置としていたが、稜線部７０Ｓに当接したときの当接平坦面５７Ｈの位置としてもよい。
【００８４】
（６）上記実施形態では、回動規制突部５７の当接平坦面５７Ｈが回動レバー６０の稜線部７０Ｓの回動範囲から外側に（後方に）退避する方向は、駆動源５０からフランジ先端装着部材５４に動力が伝達された場合（遊技の判定結果に基づき制御された場合）と動力が伝達されていない場合（不正開放操作が行われた場合）の両方の場合において、プランジャ５２の直動方向と平行となるように構成したが、不正開放操作時には不正加圧力Ｆのうち垂直分力ｆ２が稜線部７０Ｓから当接平坦面５７Ｈに加わるため、支持壁４５により支持されているとはいえ、この当接平坦面５７Ｈの退避方向を、プランジャ５２の直動方向と平行に限定する必要性はない。言い換えると、不正開放操作が行われて不正加圧力Ｆのうち直動分力ｆ１が本発明の「抵抗力」よりも大きくなったときに、当接平坦面５７Ｈが回動レバー６０の回動範囲から退避するように終端位置側に移動するように構成すればよい。
【符号の説明】
【００８５】
１０    遊技機
１４Ｂ    第２始動入賞口（入賞口）
１４Ｃ    可動翼片（開閉部材）
４５    支持壁
５０    駆動源
５１    ソレノイド
５２    プランジャ
５３    圧縮コイルバネ
５４，５４Ｖ    フランジ先端装着部材（移動部材）
５６，５６Ｖ    連動突部
５７，５７Ｖ    回動規制突部
５７Ａ    円弧面
５７Ｈ    当接平坦面（回動規制部）
６０，６０Ｗ    回動レバー
６６    連動凹部
６６Ｔ    連動対向面（連動当接部）
７０    回動規制凹部
７０Ｓ    稜線部（回動当接部）
７５Ｓ    稜線部（回動当接部）
Ｊ２    回動軸
【図３】
0005291787.tif 000002
【図４】
0005291787.tif 000003
【図５】
0005291787.tif 000004
【図６】
0005291787.tif 000005
【図７】
0005291787.tif 000006
【図８】
0005291787.tif 000007
【図９】
0005291787.tif 000008
【図１０】
0005291787.tif 000009
【図１１】
0005291787.tif 000010
【図１２】
0005291787.tif 000011
【図１３】
0005291787.tif 000012
【図１４】
0005291787.tif 000013
【図１５】
0005291787.tif 000014
【図１６】
0005291787.tif 000015
【図１７】
0005291787.tif 000016
【図１８】
0005291787.tif 000017
【図１】
0005291787.tif 000018
【図２】
0005291787.tif 000019